(57)【要約】【課題】この発明は、保管物を効率よく庫内に搬入して収容することができる冷凍コンテナを提供することを課題とする。【解決手段】後部扉１を開けて油圧シリンダ１０のプランジャ１１を伸長することによりステージ４を庫外へ倒し、フォークリフト等によって自走台車１３をステージレール６上に載置する。保管物が収容されたパレットをフォークリフト等によりステージ載置棚７の上に載置し、自走台車１３でパレットを持ち上げてステージレール６及び庫内レール２に沿って庫内奥部にまで走行させ、パレットを庫内載置棚３の上に移載する。【選択図】        図３
2004168329.tif 000002
【特許請求の範囲】
【請求項１】
搬入された保管物を冷凍保管する冷凍コンテナにおいて、
庫内入口に隣接して配置されると共に庫内と庫外との間で起伏自在に設けられたステージと、
前記ステージを起伏させる駆動手段と、
庫内入口から庫内の奥まで延びるように庫内底部に敷設された庫内レールと、
前記庫内レールに沿って庫内底部に敷設された庫内載置棚と、
前記ステージを庫外へ倒したときに前記庫内レールに接続されるように前記ステージ上に固定されたステージレールと、
前記ステージ上に固定されたステージ載置棚と、
保管物を載せて前記庫内レール及びステージレール上を走行する自走台車と、
前記自走台車に設けられ且つ前記自走台車と前記庫内載置棚及びステージ載置棚との間で保管物の移載を行うための移載手段と
を備え、前記駆動手段により前記ステージを庫外へ倒して前記ステージレール上に前記自走台車を載せ、前記自走台車を前記庫内レール及びステージレールに沿って走行させることにより保管物の搬入及び搬出を行うことを特徴とする冷凍コンテナ。
【請求項２】
前記駆動手段は、油圧シリンダあるいは電動シリンダからなる請求項１に記載の冷凍コンテナ。
【請求項３】
前記ステージは、起立した状態で庫内に収納される請求項１または２に記載の冷凍コンテナ。
【発明の詳細な説明】
【０００１】
【発明の属する技術分野】
この発明は、荷を冷凍保管する冷凍コンテナに関する。
【０００２】
【従来の技術】
狂牛病等の伝染病に冒された廃用牛やその他の病で病死した廃用牛、さらにその他の廃用動物は一般に専用の焼却施設で焼却処分に供されるが、焼却対象となるこれらの廃用動物は焼却処分されるまで冷凍保管されている。このような冷凍保管としては、例えば特許文献１に開示されているような冷凍コンテナを使用することができる。
【０００３】
【特許文献１】
特開２００２−２５０５７８号公報
【０００４】
【発明が解決しようとする課題】
しかしながら、従来の冷凍コンテナは、庫内の床面の上に単に保管物を積み重ねたり、載置するものであり、特に牛等の廃用動物を保管物とする場合には、その大きさと重量が嵩むために庫内への搬入作業に手間がかかると共に庫内のスペースを有効に活用するように保管物を配置する作業が困難であった。
【０００５】
この発明はこのような問題点を解消するためになされたもので、保管物を効率よく庫内に搬入して収容することができる冷凍コンテナを提供することを目的とする。
【０００６】
【課題を解決するための手段】
この発明に係る冷凍コンテナは、庫内入口に隣接して配置されると共に庫内と庫外との間で起伏自在に設けられたステージと、ステージを起伏させる駆動手段と、庫内入口から庫内の奥まで延びるように庫内底部に敷設された庫内レールと、庫内レールに沿って庫内底部に敷設された庫内載置棚と、ステージを庫外へ倒したときに庫内レールに接続されるようにステージ上に固定されたステージレールと、ステージ上に固定されたステージ載置棚と、保管物を載せて庫内レール及びステージレール上を走行する自走台車と、自走台車に設けられ且つ自走台車と庫内載置棚及びステージ載置棚との間で保管物の移載を行うための移載手段とを備えたものであり、駆動手段によりステージを庫外へ倒してステージレール上に自走台車を載せ、自走台車を庫内レール及びステージレールに沿って走行させることにより保管物の搬入及び搬出が行われる。
【０００７】
駆動手段としては、油圧シリンダあるいは電動シリンダを用いることができる。
また、ステージを起立した状態で庫内に収納されるように構成することもできる。
【０００８】
【発明の実施の形態】
以下、この発明の実施の形態を添付図面に基づいて説明する。
図１にこの発明の実施の形態に係る冷凍コンテナの庫内入口付近の構造を示す。冷凍コンテナは内部に冷凍庫が形成された細長い直方体形状を有し、その後端に後部扉１を備えた庫内入口が形成されている。庫内入口とは反対側の庫内奥部には、庫内を冷却するための図示しない冷凍ユニットが設置されている。
庫内の底部には、その両側部において庫内入口から庫内の奥まで延びるように庫内レール２が敷設されると共にこの庫内レール２に沿って庫内載置棚３が敷設されている。また、庫内入口の近傍に矩形のステージ４が回動軸５を中心に庫内と庫外との間で起伏自在に取り付けられている。このステージ４には、ステージ４が庫外に倒されたときに庫内レール２に接続されるようなステージレール６が固定されると共にこのステージレール６に沿ってステージ載置棚７が固定されている。庫内載置棚３及びステージ載置棚７は、それぞれ上端部に長さ方向に沿って延在し且つ上方へ向かって尖った直線状の凸部を有している。
【０００９】
ガイドリンクレバー８の一端が庫内載置棚３の外側部に、引起しリンクレバー９の一端がステージ載置棚７の外側部にそれぞれ回動自在に取り付けられ、これらガイドリンクレバー８及び引起しリンクレバー９の他端が互いにピンを介して回動自在に連結されており、これによってリンク機構が形成されている。さらに、油圧シリンダ１０が庫内載置棚３の外側部に回動自在に取り付けられ、ガイドリンクレバー８と引起しリンクレバー９とを連結しているピンに油圧シリンダ１０のプランジャ１１が連結されている。このようなリンク機構及び油圧シリンダ１０が冷凍コンテナの左右両側部にそれぞれ配設されている。
図２に示されるように、油圧シリンダ１０のプランジャ１１を伸長することによりステージ４がほぼ水平に倒れ、プランジャ１１を引き込めることによりステージ４がほぼ鉛直に起立する。
【００１０】
図３に示されるように、庫外へ倒されてアウトリガー１２によりほぼ水平に保持されたステージ４のステージレール６の上に自走台車１３が載せられ、この自走台車１３の昇降テーブルＡによって例えば廃用動物等の保管物が収容された後述するパレットを持ち上げて搬入及び搬出が行われる。
【００１１】
図４に示されるように、自走台車１３には、電動の走行モータ１４によって回転駆動される駆動車輪１５が配設されており、駆動車輪１５を回転させることによりステージレール６及び庫内レール２上を走行し得るように構成されている。また、自走台車１３の両側部の近傍には、昇降テーブルＡに連結された複数のジャッキ１６が配設され、それぞれギヤ部１７を介して電動の移載モータ１８により上下動するように構成されている。さらに、自走台車１３には、走行モータ１４及び移載モータ１８へ電源を供給するために冷凍コンテナの外部から引かれたケーブル１９を巻き取る巻き取りドラム２０が搭載されている。この巻き取りドラム２０は、スプリング等により常時ケーブルを巻き取る方向に付勢されている。
なお、冷凍コンテナの庫外には後部扉１の近傍に自走台車１３を走行制御するための図示しない操作盤が取り付けられている。
【００１２】
次に、この実施の形態の冷凍コンテナの動作について説明する。まず、庫内への搬入時には、後部扉１を開けて図３に示されるように油圧シリンダ１０のプランジャ１１を伸長することによりステージ４を庫外へ倒し、アウトリガー１２によりほぼ水平に保持する。この状態で、フォークリフト等により自走台車１３をステージ４のステージレール６の上に載置する。図示しない制御盤を台車等により移動させて後部扉１の近傍に配置し、制御盤と操作盤とを接続すると共に自走台車１３の巻き取りドラム２０に巻かれていたケーブル１９を延ばして制御盤に接続する。さらに、制御盤を商用の２００Ｖ等の電源に接続する。
【００１３】
次に、図５に示されるように、ステージ４のステージ載置棚７の上にフォークリフト等により例えば上下２段重ねにパレット２１を載置する。各パレット２１は上部が開放された箱形状を呈し、両側板の上縁部には上方へ向かって凸状に尖った上ガイド部２２が形成され、両側板の下部にはその下端が下方へ向かって凹状に開いた下ガイド部２３が形成されており、下側のパレット２１の上ガイド部２２の上に上側のパレット２１の下ガイド部２３を重ねて嵌合させることにより複数段に積み上げることができるように構成されている。また、下ガイド部２３をステージ載置棚７及び庫内載置棚３の凸部の上に重ねて嵌合させることにより、パレット２１をステージ載置棚７及び庫内載置棚３にしっかりと載置することができる。
【００１４】
さらに、各パレット２１の底部にはフォークリフトのフォークを差し込むためのフォークガイド２４が取り付けられ、各パレット２１の正面上半部には開閉クランプ２５の操作により開放自在の開閉式枠２６が取り付けられている。この開閉式枠２６は、複数のパレット２１を積み重ねた状態でも開閉することができ、開閉式枠２６を開放することにより、パレット２１内に収容された廃用動物等の保管物に各種の処理を施すことができるようになっている。
なお、図５では図示が省略されているが、ステージレール６の上に載置されている自走台車１３は、昇降テーブルＡを下降させた状態で、ステージ載置棚７及び庫内載置棚３の上に載置されたパレット２１の下を自由に走行し得るように構成されている。
【００１５】
図示しない保管物が収容されたこのようなパレット２１を上下２段重ねでステージ載置棚７の上に載置した後、操作盤の移載ボタン（図示せず）の操作により自走台車１３の移載モータ１８を駆動し、複数のジャッキ１６及び昇降テーブルＡを上昇させて２段重ねのパレット２１を持ち上げ、この状態で操作盤の走行ボタン（図示せず）の操作によりパレット２１と共に自走台車１３をステージレール６及び庫内レール２に沿って庫内奥部にまで走行させる。ここで、昇降テーブルＡを下げて２段重ねのパレット２１を庫内載置棚３の上に移載した後、自走台車１３はステージ４まで戻る。
【００１６】
同様にして、２段重ねのパレット２１を庫内奥部から庫内入口まで順次収容していく。
パレット２１の搬入作業が終了したら、フォークリフト等によりステージレール６から自走台車１３を降ろし、油圧シリンダ１０のプランジャ１１を引き込めることによりステージ４をほぼ鉛直に起立させて庫内に収納させ、後部扉１を閉じて冷凍ユニットにより庫内を冷却することができる。
なお、搬出時にも同様にして自走台車１３により庫内からパレット２１を搬出することができる。
【００１７】
また、自走台車１３の走行に伴って制御盤と自走台車１３との距離が変化するが、自走台車１３の走行モータ１４及び移載モータ１８へ電源を供給するためのケーブル１９が自走台車１３上の巻き取りドラム２０に自動的に巻き取られるので、ケーブル１９が弛むことがなく、自走台車１３は支障を来すことなく確実に走行することができる。
【００１８】
自走台車１３の走行位置は、庫内レール２及びステージレール６に沿って所定の間隔でドグを設けると共に自走台車１３にドグを機械的に検出する検出機構を配設することにより、把握することが可能である。自走台車１３に配設する検出機構は、電気的あるいは光学的にドグを検出してもよい。また、走行モータ１４の回転軸あるいは駆動車輪１５の車軸にエンコーダを取り付けることによっても、走行位置の検出が可能である。
【００１９】
上述した自走台車１３では、電動の移載モータ１８により複数のジャッキ１６を上下動させてパレット２１を移載したが、これに限るものではなく、例えばエアシリンダによりパレット２１を持ち上げるようにすることもできる。
上記の実施の形態では、ステージ４の起伏を油圧シリンダ１０により行ったが、電動シリンダ等の他の駆動手段を用いてもよい。
【００２０】
【発明の効果】
以上説明したように、この発明によれば、駆動手段によりステージを庫外へ倒してステージレール上に自走台車を載せ、自走台車を庫内レール及びステージレールに沿って走行させることにより保管物の搬送を行うので、保管物を効率よく庫内に搬入して収容し、冷凍保管することができる
【図面の簡単な説明】
【図１】この発明の実施の形態に係る冷凍コンテナの庫内入口付近の構造を示す斜視図である。
【図２】実施の形態で用いられたステージ、リンク機構及び油圧シリンダを示す側面図である。
【図３】実施の形態において水平に倒したステージ上に自走台車を載置した状態を示す斜視図である。
【図４】実施の形態で用いられた自走台車を示す平面図である。
【図５】実施の形態において水平に倒したステージ上に２段重ねのパレットを載置した状態を示す斜視図である。
【符号の説明】
１  後部扉、２  庫内レール、３  庫内載置棚、４  ステージ、５  回動軸、６  ステージレール、７  ステージ載置棚、８  ガイドリンクレバー、９  引起しリンクレバー、１０  油圧シリンダ、１１  プランジャ、１２  アウトリガー、１３  自走台車、１４  走行モータ、１５  駆動車輪、１６  ジャッキ、１７ギヤ部、１８  移載モータ、１９  ケーブル、２０  巻き取りドラム、Ａ  昇降テーブル。
【図１】
2004168329.tif 000003
【図２】
2004168329.tif 000004
【図３】
2004168329.tif 000005
【図４】
2004168329.tif 000006
【図５】
2004168329.tif 000007